(57)【要約】【課題】マイクロ波無線通信装置を用いた通信システムにおいて、アドレスの割り当て及び削除を自動的に行えるとともに、保守員の作業効率の向上を図ることができるようにする。【解決手段】マイクロ波無線通信装置１０は、マスタ局、サブマスタ局又はスレーブ局に設定するためのモード切替スイッチ３を備える。ＤＨＣＰサーバ処理部１６は、マスタ局に設定されている場合、配下のスレーブ局とのＬＡＮリンクが確立される毎に、ＤＨＣＰ機能を用いて、ＬＡＮリンクが確立されたスレーブ局に対してＩＰアドレスを割り当てる。また、ＤＨＣＰサーバ処理部１６は、既にＩＰアドレスを割り当てたスレーブ局との通信を行えない状態であると判定すると、そのスレーブ局に対して割り当てたＩＰアドレスを、データベース１７が記憶するＩＰアドレステーブルから削除する。【選択図】図３
2008270946.tif 000002
【特許請求の範囲】
【請求項１】
マイクロ波無線通信システムに含まれるマイクロ波無線通信装置にアドレスを自動的に割り当てるアドレス自動割当装置であって、
マイクロ波無線通信装置をマスタ局に設定するための設定手段と、
前記設定手段によってマイクロ波無線通信装置がマスタ局に設定されている場合に、前記マスタ局に設定されているマイクロ波無線通信装置以外のマイクロ波無線通信装置とのリンクが確立される毎に、前記リンクが確立されたマイクロ波無線通信装置に対してアドレスを割り当てるアドレス割当手段と、
既にアドレスを割り当てたマイクロ波無線通信装置との通信状態を判定する通信状態判定手段と、
前記通信状態判定手段が既にアドレスを割り当てたマイクロ波無線通信装置との通信を行えない状態であると判定すると、前記通信を行えない状態であると判定されたマイクロ波無線通信装置に割り当てたアドレスを削除するアドレス削除手段とを
備えたことを特徴とするアドレス自動割当装置。
【請求項２】
設定手段は、マイクロ波無線通信装置をマスタ局、サブマスタ局又はスレーブ局のいずれかに設定し、
アドレス割当手段は、前記設定手段によってマイクロ波無線通信装置がマスタ局又はサブマスタ局に設定されている場合に、リンクが確立されたマイクロ波無線通信装置に対してアドレスを割り当てる
請求項１記載のアドレス自動割当装置。
【請求項３】
通信状態判定手段は、既にアドレスを割り当てたマイクロ波無線通信装置に対して信号を送信し、前記マイクロ波無線通信装置から所定時間を超えて応答信号を受信できなかったと判断すると、前記マイクロ波無線通信装置との通信を行えない状態であると判定する請求項１又は請求項２記載のアドレス自動割当装置。
【請求項４】
マイクロ波無線通信システムに含まれるマイクロ波無線通信装置であって、
当該マイクロ波無線通信装置をマスタ局に設定するための設定手段と、
前記設定手段によって当該マイクロ波無線通信装置がマスタ局に設定されている場合に、当該マイクロ波無線通信装置以外のマイクロ波無線通信装置とのリンクが確立される毎に、前記リンクが確立されたマイクロ波無線通信装置に対してアドレスを割り当てるアドレス割当手段と、
既にアドレスを割り当てたマイクロ波無線通信装置との通信状態を判定する通信状態判定手段と、
前記通信状態判定手段が既にアドレスを割り当てたマイクロ波無線通信装置との通信を行えない状態であると判定すると、前記通信を行えない状態であると判定されたマイクロ波無線通信装置に割り当てたアドレスを削除するアドレス削除手段とを
備えたことを特徴とするマイクロ波無線通信装置。
【請求項５】
複数のマイクロ波無線通信装置を含むマイクロ波無線通信システムであって、
マイクロ波無線通信装置は、
当該マイクロ波無線通信装置をマスタ局に設定するための設定手段と、
前記設定手段によって当該マイクロ波無線通信装置がマスタ局に設定されている場合に、当該マイクロ波無線通信装置以外のマイクロ波無線通信装置とのリンクが確立される毎に、前記リンクが確立されたマイクロ波無線通信装置に対してアドレスを割り当てるアドレス割当手段と、
既にアドレスを割り当てたマイクロ波無線通信装置との通信状態を判定する通信状態判定手段と、
前記通信状態判定手段が既にアドレスを割り当てたマイクロ波無線通信装置との通信を行えない状態であると判定すると、前記通信を行えない状態であると判定されたマイクロ波無線通信装置に割り当てたアドレスを削除するアドレス削除手段とを含む
ことを特徴とするマイクロ波無線通信システム。
【請求項６】
マイクロ波無線通信装置を監視制御する監視制御端末を備え、
マイクロ波無線通信装置は、
設定手段によって当該マイクロ波無線通信装置がマスタ局に設定されている場合に、マイクロ波無線通信システムに含まれるマイクロ波無線通信装置が隣接して接続されている他のマイクロ波無線通信装置を示す隣接情報を、マイクロ波無線通信装置毎に対応付けて記憶する隣接情報記憶手段と、
前記隣接情報記憶手段が記憶する隣接情報を前記監視制御端末に送信する隣接情報送信手段とを含み、
前記監視制御端末は、マスタ局に設定されているマイクロ波無線通信装置から受信した隣接情報に基づいて、マイクロ波無線通信システムの構成を示す情報を表示するシステム構成表示手段を含む
請求項５記載のマイクロ波無線通信システム。
【請求項７】
隣接情報記憶手段は、隣接情報とともに、マイクロ波無線通信装置のアラーム状態を示すアラーム状態情報と、前記マイクロ波無線通信装置がマスタ局に設定されているか否かを示す設定状態情報とを対応付けて含む対応テーブルを記憶し、
隣接情報送信手段は、前記隣接情報記憶手段が記憶する対応テーブルを監視制御端末に送信し、
システム構成表示手段は、マスタ局に設定されているマイクロ波無線通信装置から受信した対応テーブルに含まれる隣接情報に基づいて、マイクロ波無線通信システムの構成を示す情報を表示するとともに、前記対応テーブルに含まれるアラーム状態情報及び設定状態情報を表示する
請求項６記載のマイクロ波無線通信システム。
【請求項８】
マイクロ波無線通信装置は、
設定手段によって当該マイクロ波無線通信装置がマスタ局に設定されている場合に、当該マイクロ波無線通信装置以外のマイクロ波無線通信装置とのリンクが確立される毎に、前記リンクが確立されたマイクロ波無線通信装置から隣接情報、アラーム状態情報及び設定状態情報を受信する隣接情報受信手段と、
前記隣接情報受信手段が受信した隣接情報、アラーム状態情報及び設定状態情報を、隣接情報記憶手段が記憶する対応テーブルに対応付けて格納する隣接情報更新手段とを含む
請求項７記載のマイクロ波無線通信システム。
【請求項９】
マイクロ波無線通信システムに含まれるマイクロ波無線通信装置にアドレスを自動的に割り当てるアドレス自動割当方法であって、
マイクロ波無線通信装置が、当該マイクロ波無線通信装置をマスタ局に設定するための設定ステップと、
前記マイクロ波無線通信装置が、当該マイクロ波無線通信装置がマスタ局に設定されている場合に、当該マイクロ波無線通信装置以外のマイクロ波無線通信装置とのリンクが確立される毎に、前記リンクが確立されたマイクロ波無線通信装置に対してアドレスを割り当てるアドレス割当ステップと、
前記マイクロ波無線通信装置が、既にアドレスを割り当てたマイクロ波無線通信装置との通信状態を判定する通信状態判定ステップと、
前記マイクロ波無線通信装置が、既にアドレスを割り当てたマイクロ波無線通信装置との通信を行えない状態であると判定すると、前記通信を行えない状態であると判定されたマイクロ波無線通信装置に割り当てたアドレスを削除するアドレス削除ステップとを含む
ことを特徴とするアドレス自動割当方法。
【請求項１０】
マイクロ波無線通信装置が、当該マイクロ波無線通信装置がマスタ局に設定されている場合に、マイクロ波無線通信システムに含まれるマイクロ波無線通信装置が隣接して接続されている他のマイクロ波無線通信装置を示す隣接情報を、マイクロ波無線通信装置毎に対応付けてデータベースに記憶する隣接情報記憶ステップと、
前記マイクロ波無線通信装置が、前記データベースに記憶する隣接情報を、各マイクロ波無線通信装置を監視制御する監視制御端末に送信する隣接情報送信ステップと、
前記監視制御端末が、マスタ局に設定されているマイクロ波無線通信装置から受信した隣接情報に基づいて、マイクロ波無線通信システムの構成を示す情報を表示するシステム構成表示ステップとを含む
請求項９記載のアドレス自動割当方法。
【発明の詳細な説明】
【技術分野】
【０００１】
本発明は、マイクロ波無線通信システムに含まれるマイクロ波無線通信装置にアドレスを自動的に割り当てるアドレス自動割当装置及びアドレス自動割当方法に関する。また、本発明は、アドレス自動割当方法を用いたマイクロ波無線通信装置及びマイクロ波無線通信システムに関する。
【背景技術】
【０００２】
マイクロ波無線通信装置を用いて系構成することによって通信システムを構成することが行われている。このような通信システムでは、各マイクロ波無線通信装置にアドレス（例えば、装置ＩＤ）を割り当て、割り当てたアドレスに基づいて装置間で通信を行う。各マイクロ波無線通信装置にアドレスを割当てる方法として、例えば、装置出荷時に予め各マイクロ波無線通信装置にアドレス（例えば、装置ＩＤ）を登録しておく方法がある。
【０００３】
また、例えば、特許文献１には、マスタ局又はサブマスタ局として動作するマイクロ波無線通信装置が、マイクロ波無線通信装置間のＨＤＬＣリンクが確立したことを契機として、配下のマイクロ波無線通信装置にアドレスを割り振る処理を行う無線通信システムが記載されている。
【０００４】
【特許文献１】特開２００５−３４７９８２号公報（段落００６０−００７４、図４−５）
【発明の開示】
【発明が解決しようとする課題】
【０００５】
装置出荷時に予めアドレスを登録する方法を用いる場合、マイクロ波無線通信装置を増設時に、システム内でアドレス管理を行っている最上位無線通信装置（Ｒｏｏｔ  ＮＥ、すなわち、Ｒｏｏｔ  Ｎｅｔｗｏｒｋ  Ｅｌｅｍｅｎｔ）としてのマイクロ波無線通信装置、又は監視制御端末が記憶するアドレス管理テーブル（データベース）に、増設されたマイクロ波無線通信装置の必要情報を人手により入力しなければならない。そのため、保守員等の手間がかかる。
【０００６】
また、複数のマイクロ波無線通信装置に異なるアドレスが固定的に割り当てられているので、マイクロ波無線通信装置の増設や配置換えによる装置移動が発生すると、アドレス資源が不足することがある。そのため、アドレス資源を有効に利用することができない。さらに、マイクロ波無線通信装置の増減が発生した場合に、複数のマイクロ波無線通信装置個々に異なるアドレスを固定的に割り当てると、複数の装置にアドレスを誤って割り当ててしまう事態が生じうる。そのため、アドレスの重複設定を管理することが難しい。
【０００７】
また、出願人は、特許文献１において、新たにマイクロ波無線通信装置とのＨＤＬＣリンクが確立したことに基づいてアドレス割り当てを行うことによって、各装置へのアドレス割り当てを自動化し、ある程度アドレス管理の手間を軽減している。しかし、装置が削減された場合等であっても、自動的にアドレスの削除を行えるようにできることが好ましい。
【０００８】
そこで、本発明は、マイクロ波無線通信装置を用いた通信システムにおいて、アドレスの割り当て及び削除を自動的に行えるとともに、保守員の作業効率の向上を図ることができるアドレス自動割当装置、マイクロ波無線通信装置、マイクロ波無線通信システム及びアドレス自動割当方法を提供することを目的とする。
【課題を解決するための手段】
【０００９】
本発明によるアドレス自動割当装置は、マイクロ波無線通信システムに含まれるマイクロ波無線通信装置にアドレスを自動的に割り当てるアドレス自動割当装置（例えば、マスタ局やサブマスタ局に設定されたマイクロ波無線通信装置１０）であって、マイクロ波無線通信装置をマスタ局に設定するための設定手段（例えば、モード切替スイッチ３によって実現される）と、設定手段によってマイクロ波無線通信装置がマスタ局に設定されている場合に、マスタ局に設定されているマイクロ波無線通信装置以外のマイクロ波無線通信装置とのリンクが確立される毎に、リンクが確立されたマイクロ波無線通信装置に対してアドレス（例えば、ＩＰアドレス）を割り当てるアドレス割当手段（例えば、ＤＨＣＰサーバ処理部１６によって実現される）と、既にアドレスを割り当てたマイクロ波無線通信装置との通信状態を判定する通信状態判定手段（例えば、ＤＨＣＰサーバ処理部１６によって実現される）と、通信状態判定手段が既にアドレスを割り当てたマイクロ波無線通信装置との通信を行えない状態であると判定すると、通信を行えない状態であると判定されたマイクロ波無線通信装置に割り当てたアドレスを削除するアドレス削除手段（例えば、ＤＨＣＰサーバ処理部１６によって実現される）とを備えたことを特徴とする。
【００１０】
アドレス自動割当装置において、設定手段は、マイクロ波無線通信装置をマスタ局、サブマスタ局又はスレーブ局のいずれかに設定し、アドレス割当手段は、設定手段によってマイクロ波無線通信装置がマスタ局又はサブマスタ局に設定されている場合に、リンクが確立されたマイクロ波無線通信装置に対してアドレスを割り当てるものであってもよい。
【００１１】
アドレス自動割当装置において、通信状態判定手段は、既にアドレスを割り当てたマイクロ波無線通信装置に対して信号を送信し、マイクロ波無線通信装置から所定時間（例えば、ユーザが定義したタイマ値）を超えて応答信号を受信できなかったと判断すると、マイクロ波無線通信装置との通信を行えない状態であると判定するものであってもよい。
【００１２】
本発明によるマイクロ波無線通信装置は、マイクロ波無線通信システムに含まれるマイクロ波無線通信装置であって、当該マイクロ波無線通信装置をマスタ局に設定するための設定手段と、設定手段によって当該マイクロ波無線通信装置がマスタ局に設定されている場合に、当該マイクロ波無線通信装置以外のマイクロ波無線通信装置とのリンクが確立される毎に、リンクが確立されたマイクロ波無線通信装置に対してアドレスを割り当てるアドレス割当手段と、既にアドレスを割り当てたマイクロ波無線通信装置との通信状態を判定する通信状態判定手段と、通信状態判定手段が既にアドレスを割り当てたマイクロ波無線通信装置との通信を行えない状態であると判定すると、通信を行えない状態であると判定されたマイクロ波無線通信装置に割り当てたアドレスを削除するアドレス削除手段とを備えたことを特徴とする。
【００１３】
本発明によるマイクロ波無線通信システムは、複数のマイクロ波無線通信装置を含むマイクロ波無線通信システムであって、マイクロ波無線通信装置は、当該マイクロ波無線通信装置をマスタ局に設定するための設定手段と、設定手段によって当該マイクロ波無線通信装置がマスタ局に設定されている場合に、当該マイクロ波無線通信装置以外のマイクロ波無線通信装置とのリンクが確立される毎に、リンクが確立されたマイクロ波無線通信装置に対してアドレスを割り当てるアドレス割当手段と、既にアドレスを割り当てたマイクロ波無線通信装置との通信状態を判定する通信状態判定手段と、通信状態判定手段が既にアドレスを割り当てたマイクロ波無線通信装置との通信を行えない状態であると判定すると、通信を行えない状態であると判定されたマイクロ波無線通信装置に割り当てたアドレスを削除するアドレス削除手段とを含むことを特徴とする。
【００１４】
また、マイクロ波無線通信システムは、マイクロ波無線通信装置を監視制御する監視制御端末（例えば、統合監視制御端末２２）を備え、マイクロ波無線通信装置は、設定手段によって当該マイクロ波無線通信装置がマスタ局に設定されている場合に、マイクロ波無線通信システムに含まれるマイクロ波無線通信装置が隣接して接続されている他のマイクロ波無線通信装置を示す隣接情報を、マイクロ波無線通信装置毎に対応付けて記憶する隣接情報記憶手段（例えば、ＩＰアドレステーブルを記憶するデータベース１７によって実現される）と、隣接情報記憶手段が記憶する隣接情報を監視制御端末に送信する隣接情報送信手段（例えば、監視制御端末インタフェース部１５を用いて統合監視制御端末２２と各種信号を送受信する制御部１１によって実現される）とを含み、監視制御端末は、マスタ局に設定されているマイクロ波無線通信装置から受信した隣接情報に基づいて、マイクロ波無線通信システムの構成を示す情報（例えば、系構成情報）を表示するシステム構成表示手段（例えば、プログラムに従って動作する統合監視制御端末２２のＣＰＵによって実現される）を含むものであってもよい。
【００１５】
また、マイクロ波無線通信システムにおいて、隣接情報記憶手段は、隣接情報とともに、マイクロ波無線通信装置のアラーム状態を示すアラーム状態情報（例えば、アラームトータルサマリ情報）と、マイクロ波無線通信装置がマスタ局に設定されているか否かを示す設定状態情報（例えば、装置タイプ情報）とを対応付けて含む対応テーブル（例えば、ＩＰアドレステーブル５０−１，５０−２，５０−３）を記憶し、隣接情報送信手段は、隣接情報記憶手段が記憶する対応テーブルを監視制御端末に送信し、システム構成表示手段は、マスタ局に設定されているマイクロ波無線通信装置から受信した対応テーブルに含まれる隣接情報に基づいて、マイクロ波無線通信システムの構成を示す情報を表示するとともに、対応テーブルに含まれるアラーム状態情報及び設定状態情報を表示するものであってもよい。
【００１６】
また、マイクロ波無線通信システムにおいて、マイクロ波無線通信装置は、設定手段によって当該マイクロ波無線通信装置がマスタ局に設定されている場合に、当該マイクロ波無線通信装置以外のマイクロ波無線通信装置とのリンクが確立される毎に、リンクが確立されたマイクロ波無線通信装置から隣接情報、アラーム状態情報及び設定状態情報を受信する隣接情報受信手段と、隣接情報受信手段が受信した隣接情報、アラーム状態情報及び設定状態情報を、隣接情報記憶手段が記憶する対応テーブルに対応付けて格納する隣接情報更新手段（例えば、隣接情報判断部１８及びアラームサマリ判断部１９によって実現される）とを含むものであってもよい。
【００１７】
本発明によるアドレス自動割当方法は、マイクロ波無線通信システムに含まれるマイクロ波無線通信装置にアドレスを自動的に割り当てるアドレス自動割当方法であって、マイクロ波無線通信装置が、当該マイクロ波無線通信装置をマスタ局に設定するための設定ステップと、マイクロ波無線通信装置が、当該マイクロ波無線通信装置がマスタ局に設定されている場合に、当該マイクロ波無線通信装置以外のマイクロ波無線通信装置とのリンクが確立される毎に、リンクが確立されたマイクロ波無線通信装置に対してアドレスを割り当てるアドレス割当ステップと、マイクロ波無線通信装置が、既にアドレスを割り当てたマイクロ波無線通信装置との通信状態を判定する通信状態判定ステップと、マイクロ波無線通信装置が、既にアドレスを割り当てたマイクロ波無線通信装置との通信を行えない状態であると判定すると、通信を行えない状態であると判定されたマイクロ波無線通信装置に割り当てたアドレスを削除するアドレス削除ステップとを含むことを特徴とする。
【００１８】
また、アドレス自動割当方法は、マイクロ波無線通信装置が、当該マイクロ波無線通信装置がマスタ局に設定されている場合に、マイクロ波無線通信システムに含まれるマイクロ波無線通信装置が隣接して接続されている他のマイクロ波無線通信装置を示す隣接情報を、マイクロ波無線通信装置毎に対応付けてデータベースに記憶する隣接情報記憶ステップと、マイクロ波無線通信装置が、データベースに記憶する隣接情報を、各マイクロ波無線通信装置を監視制御する監視制御端末に送信する隣接情報送信ステップと、監視制御端末が、マスタ局に設定されているマイクロ波無線通信装置から受信した隣接情報に基づいて、マイクロ波無線通信システムの構成を示す情報を表示するシステム構成表示ステップとを含むものであってもよい。
【発明の効果】
【００１９】
本発明によれば、マイクロ波無線通信装置がマスタ局に設定されている場合に、マスタ局に設定されているマイクロ波無線通信装置以外のマイクロ波無線通信装置とのリンクが確立される毎に、リンクが確立されたマイクロ波無線通信装置に対してアドレスを割り当て、既にアドレスを割り当てたマイクロ波無線通信装置との通信を行えない状態であると判定すると、通信を行えないと判定されたマイクロ波無線通信装置に割り当てたアドレスを削除する。従って、マイクロ波無線通信装置を用いた通信システムにおいて、アドレスの割り当て及び削除を自動的に行えるとともに、保守員の作業効率の向上を図ることができる。
【００２０】
本発明によれば、マスタ局に設定されているマイクロ波無線通信装置から受信した隣接情報に基づいて、マイクロ波無線通信システムの構成を示す情報を表示するように構成すれば、監視制御端末が、マスタ局から隣接情報を取得しさえすれば、マイクロ波無線通信システムの構成を示す情報を自動描画することができる。
【発明を実施するための最良の形態】
【００２１】
以下、本発明の実施の形態を図面を参照して説明する。まず、本発明によるアドレス自動割当方法を用いたマイクロ波無線通信システムの概要を説明する。本実施の形態では、マイクロ波無線通信システムは、複数のマイクロ波無線通信装置が無線区間又は有線区間（例えば、ＬＡＮ）を介して接続されることにより、全体の系が構成されている。また、マイクロ波無線通信システムにおいて、マイクロ波無線通信装置は、ＤＨＣＰ（Ｄｙｎａｍｉｃ  Ｈｏｓｔ  Ｃｏｎｆｉｇｕｒａｔｉｏｎ  Ｐｒｏｔｏｃａｌ）サーバ機能を搭載する。
【００２２】
また、本実施の形態では、マイクロ波無線通信装置の前面にモード切替えスイッチを設けることによって、マスタ局（Ｍａｓｔｅｒ局）、サブマスタ局（Ｓｕｂ−Ｍａｓｔｅｒ局）、又はスレーブ局（Ｓｌａｖｅ局）のいずれかに、ユーザが手動でマイクロ波無線通信装置を設定できる。なお、各マイクロ波無線通信装置は、デフォルト（Ｄｅｆａｕｌｔ）でスレーブ局に設定されているものとする。
【００２３】
本実施の形態では、マイクロ波無線通信装置のモード切替えスイッチを切り替えてマスタ局又はサブマスタ局に設定変更しさえすれば、他のマイクロ波無線通信装置をマスタ局又はサブマスタ局に順次繋げたときに、マスタ局又はサブマスタ局は、ＤＨＣＰサーバ機能を用いて、配下の他のマイクロ波無線通信装置に順次自動的にＩＰアドレスを割り当てる。なお、「配下のマイクロ波無線通信装置」とは、マスタ局又はサブマスタ局であるマイクロ波無線通信装置が、アドレス管理等の管理対象としている他のマイクロ波無線通信装置のことをいう。
【００２４】
本実施の形態では、自動的にＩＰアドレスを割り当てて運用可能状態とすることにより、保守員の作業効率の向上を図ることができる。また、マイクロ波無線装置設置時に、保守員が人手を介してＩＰアドレス割り当てを行ったり、系構成情報をマイクロ波無線通信装置にダウンロードしたりする必要をなくすことができる。そのため、誤った操作により異常データをマイクロ波無線通信装置にダウンロードすることによって、マイクロ波無線通信装置が立ち上げ不可能となってしまうことを防止することができる。
【００２５】
また、監視制御端末よるマイクロ波無線通信装置間のネットワーク接続異常等の監視制御が、アドレスの重複登録により正常に行えなくなってしまう事態を防止することができる。また、システム異常の原因を調査するために、各マイクロ波無線通信装置にダウンロードした情報を詳細にチェックする等の作業を低減することができ、保守員の多大な作業負担を軽減することができる。
【００２６】
また、マスタ局やサブマスタ局としてセットされたマイクロ波無線通信装置は、データベースにＩＰアドレステーブルを記憶する。そして、マスタ局やサブマスタ局は、各ＩＰアドレスに対応した隣接情報や、アラームトータルサマリ情報（Ａｌａｒｍ  Ｔｏｔａｌ  Ｓｕｍｍａｒｙ情報）をＩＰアドレステーブルに格納して保存する。そのため、通信ネットワークを監視する統合監視制御端末は、マスタ局及びサブマスタ局からＩＰアドレステーブル情報を取得しさえすれば、所定のマップ画面（Ｍａｐ画面）上に系構成情報を自動描画することができる。従って、本実施の形態において、統合監視制御端末は、所定の系構成自動描画方法を用いて、マイクロ波無線通信システムの系構成を自動描画して表示する系構成自動描画装置として機能する。
【００２７】
次に、マイクロ波無線通信システムの構成について説明する。図１は、本発明によるアドレス自動割当方法を用いたマイクロ波無線通信システムの構成の一例を示すブロック図である。図１に示すように、マイクロ波無線通信システム１は、複数のマイクロ波無線通信装置を含む。また、各マイクロ波無線通信装置は、ＤＨＣＰサーバ機能を搭載する。
【００２８】
また、マイクロ波無線通信システム１は、マスタ局（ＤＨＣＰサーバ）やサブマスタ局（ＤＨＣＰサーバ）として設定されたマイクロ波無線通信装置を含み、ＤＨＣＰサーバ機能が動作可能な状態に設定されている。また、マイクロ波無線通信システム１は、スレーブ局として設定されたマイクロ波無線通信装置を含み、ＤＨＣＰ機能がオフ状態に設定されている。
【００２９】
図１に示すように、マイクロ波無線通信システム１において、各マイクロ波無線通信装置が無線回線及び有線回線（Ｂａｃｋ−Ｂａｃｋ接続回線）を用いて接続されることによって１つのネットワークが構築されている。また、図１に示すように、マイクロ波無線通信システム１を構成する１つのネットワーク内において、負荷分散させるために、複数のサブネットワーク（Ｓｕｂｎｅｔ）が構築されている（図１に示すＳｕｂｎｅｔ−１〜Ｓｕｂｎｅｔ−３）。
【００３０】
図１に示す例では、ＩＰアドレス１７２．１８．０．１〜１７２．１８．０．１６がアサインされた（割り当てられた）１６個のマイクロ波無線通信装置によって、１つのサブネットワーク（以下、Ｓｕｂｎｅｔ−１という）が構成されている。また、ＩＰアドレス１７２．１８．０．６５〜１７２．１８．０．６９がアサインされた（割り当てられた）５個のマイクロ波無線通信装置によって、１つのサブネットワーク（以下、Ｓｕｂｎｅｔ−２という）が構成されている。また、ＩＰアドレス１７２．１８．０．１２９〜１７２．１８．０．１３１がアサインされた（割り当てられた）３個のマイクロ波無線通信装置によって、１つのサブネットワーク（以下、Ｓｕｂｎｅｔ−３という）が構成されている。
【００３１】
また、各サブネットワークの先頭に配置されたマイクロ波無線通信装置は、マスタ局（ＤＨＣＰサーバ）又はサブマスタ局（ＤＨＣＰサーバ）として設定されている。図１に示す例では、ｓｕｂｎｅｔ−１の先頭に配置されたマイクロ波無線通信装置は、マスタ局として設定されている。また、ｓｕｂｎｅｔ−２及びｓｕｂｎｅｔ−３の先頭に配置されたマイクロ波無線通信装置は、サブマスタ局として設定されている。
【００３２】
マスタ局及びサブマスタ局は、自装置が許容するネットワークアドレス内で配下のスレーブ局にＩＰアドレスを自動的に割り当てる機能を備える。図１では、マスタ局及び各サブマスタ局が、各サブネットワーク内の配下の複数のスレーブ局に、自装置が許容するネットワークアドレス内で割り振りが可能な空いているＩＰアドレスを自動的に割り当てた結果として構築されたネットワークが示されている。
【００３３】
次に、マイクロ波無線通信システム１が含むマイクロ波無線通信装置の構成について説明する。図２は、マイクロ波無線通信装置１０の前面の態様を示す説明図である。図２に示すように、マイクロ波無線通信装置１０は、その装置前面２に、モード切替スイッチ３を備える。モード切替スイッチ３の設定状態を判断することにより、マイクロ波無線通信装置１０は、自装置がいずれの装置タイプ（マスタ局、サブマスタ局又はスレーブ局）として動作すればよいかを判断することができる。
【００３４】
また、ユーザ（例えば、保守員）は、フィールド（作業現場）での装置設置時に、モード切替スイッチ３を切替操作さえすれば、図１に示した各サブネットワークの先頭に位置するマイクロ波無線通信装置１０をマスタ局（ＤＨＣＰサーバ）又はサブマスタ局（ＤＨＣＰサーバ）として動作させることができる。また、各マイクロ波無線通信装置１０は、デフォルト（Ｄｅｆａｕｌｔ）としてスレーブ局に設定されている。そして、各サブネットワークに順次マイクロ波無線通信装置１０を接続して電源を投入していけば、電源投入したタイミングをトリガとして、マスタ局（ＤＨＣＰサーバ）又はサブマスタ局（ＤＨＣＰサーバ）は、配下のスレーブ局にＩＰアドレスを自動的に割り当てる。
【００３５】
図２に示すように、マイクロ波無線通信装置１０は、モード切替スイッチ３として、マスタ局（ＤＨＣＰサーバ）用、サブマスタ局（ＤＨＣＰサーバ）用、及びスレーブ局（デフォルト）用の３種類のボタンを含む。すなわち、モード切替スイッチ３のマスタ局用のボタンを押下することによって、マイクロ波無線通信装置１０をマスタ局に設定することができる。また、モード切替スイッチ３のサブマスタ局用のボタンを押下することによって、マイクロ波無線通信装置１０をサブマスタ局に設定することができる。また、マスタ局やサブマスタ局に設定されているときに、モード切替スイッチ３のスレーブ局用のボタンを押下することによって、マイクロ波無線通信装置１０をスレーブ局に設定することができる。
【００３６】
また、マイクロ波無線通信装置１０は、マスタ局（ＤＨＣＰサーバ）として設定されているときに、ネットワーク全体で使用可能なネットワークアドレスや、ネットワーク全体で使用可能なサブネットマスク（Ｓｕｂｎｅｔ  Ｍａｓｋ）、１つのサブネットワークのみで許容されるサブネットマスクを入力する入力キー等の入力操作部５を備える。また、マイクロ波無線通信装置１０は、入力操作部５から入力したネットワークアドレスやサブネットマスクを表示可能な入力データ表示部４（入力データＤｉｓｐｌａｙ）を備える。
【００３７】
なお、マイクロ波無線通信装置１０は、ネットワーク全体で使用可能なネットワークアドレス及びサブネットマスクと、１つのサブネットワークのみで許容されるサブネットマスクとを、入力操作部５以外から入力するようにしてもよい。例えば、マイクロ波無線通信装置１０は、外部端末と通信を行うインタフェース部を備え、外部端末からネットワークアドレスやサブネットマスクを直接入力してもよい。
【００３８】
また、マイクロ波無線通信装置１０は、マスタ局（ＤＨＣＰサーバ）として設定されているときに、いずれかの手段によって入力したネットワーク全体で使用可能なネットワークアドレス及びサブネットマスクと、１つのサブネットワークのみで許容されるサブネットマスクとを用いて、配下のスレーブ局又はサブマスタ局（ＤＨＣＰサーバ）にＩＰアドレスを割り当てる機能を備える。この場合、マイクロ波無線通信装置１０は、許容された空いているＩＰアドレスをスレーブ局又はサブマスタ局に自動的に割り当てる。
【００３９】
また、マスタ局（ＤＨＣＰサーバ）は、サブマスタ局（ＤＨＣＰサーバ）に対して、１つのサブネットワークのみで許容されるサブネットマスク分のインクリメントして、次のネットワークアドレスと、１つのサブネットワークで許容されるサブネットマスクを通知（送信）する。この場合、サブマスタ局（ＤＨＣＰサーバ）として設定されているマイクロ波無線通信装置１０は、受信したネットワークアドレスを保存する。そして、サブマスタ局は、配下のスレーブ局が接続されたタイミングで、ＩＰアドレスを自動的に割り当てる。
【００４０】
図３は、マイクロ波無線通信装置１０の構成の一例を示すブロック図である。図３に示すように、図３に示すように、マイクロ波無線通信装置１０は、制御部１１、無線回路部１２、有線回路部１３、分岐用有線回路部１４、監視制御端末インタフェース部１５、ＤＨＣＰサーバ処理部１６、データベース１７、隣接情報判断部１８、アラームサマリ判断部１９、自ＩＰアドレス保存部２０及びアンテナ２１を含む。
【００４１】
ＤＨＣＰサーバ処理部１６、データベース１７、隣接情報判断部１８及びアラームサマリ判断部１９は、図２に示したモード切替スイッチ３のマスタ局（ＤＨＣＰサーバ）用又はサブマスタ局（ＤＨＣＰサーバ）用のボタンを押下してマスタ局又はサブマスタ局に設定された場合にのみ動作状態となる。一方、ＤＨＣＰサーバ処理部１６、データベース１７、隣接情報判断部１８及びアラームサマリ判断部１９は、スレーブ局に設定されている場合にはオフ状態となる。
【００４２】
本実施の形態では、ユーザ（例えば、保守員）が装置設置時に装置前面２のモード切替スイッチ３を操作して装置タイプを設定し、装置を順次接続していくことによって、マスタ局（ＤＨＣＰサーバ）又はサブマスタ局（ＤＨＣＰサーバ）は、配下のスレーブ局に対して、許容されているネットワークアドレス内の空いているＩＰアドレスを自動的に割り当てる。そして、マイクロ波無線通信システム１をシステム全体で動作させることが可能である。
【００４３】
ＤＨＣＰサーバ処理部１６は、具体的には、各種処理回路によって構成され、ＤＨＣＰサーバとしての各種処理を実行する機能を備える。本実施の形態では、ＤＨＣＰサーバ処理部１６は、配下のスレーブ局又はサブマスタ局（ＤＨＣＰサーバ）に、自分が割り当て可能なアドレス資源のうち空いているＩＰアドレス割り当てる。また、ＤＨＣＰサーバ処理部１６は、既にＩＰアドレスを割り当てたスレーブ局又はサブマスタ局との通信状態を確認し、通信を行えない状態であると判定すると、そのスレーブ局又はサブマスタ局に対して割り当てたＩＰアドレスを削除する。
【００４４】
データベース１７は、具体的には、メモリ等の記憶部によって実現される。データベース１７は、隣接して接続される他のマイクロ波無線通信装置１０を示す隣接情報、マイクロ波無線通信装置１０で発生した全アラーム状態の概要を示すアラームトータルサマリ情報、及びマイクロ波無線通信装置１０がいずれの装置タイプに設定されているかの設定状態を示す装置タイプ情報を記憶する。なお、データベース１７は、マスタ局又はサブマスタ局が管理するサブネットワーク内の全てのスレーブ局について、隣接情報、アラームトータルサマリ情報及び装置タイプ情報を記憶する。
【００４５】
本実施の形態では、マイクロ波無線通信装置１０は、隣り合ったＬＡＮ等の接続を確認し、スパニング・ツリー・プロトコル及びＲＡＲＰ（Ｒｅｖｅｒｓｅ  Ａｄｄｒｅｓｓ  Ｒｅｓｏｌｕｔｉｏｎ  Ｐｒｏｔｏｃｏｌ）を用いて、隣接する他のマイクロ波無線通信装置１０を検出する。また、各マイクロ波無線通信装置１０は、常時隣接装置間で問い合わせを行い、隣接するマイクロ波無線通信装置１０のＭＡＣアドレスとＩＰアドレスとを検出する。そして、その後、各マイクロ波無線通信装置１０は、サブネットワークの上位装置であるマスタ局（ＤＨＣＰサーバ）又はサブマスタ局（ＤＨＣＰサーバ）に、自装置が隣接するマイクロ波無線通信装置１０を示す隣接情報（例えば、ＩＰアドレスやＭＡＣアドレス）と、アラームトータルサマリ情報と、装置タイプ情報とを含む通知情報を送信する。
【００４６】
また、本実施の形態では、マスタ局（ＤＨＣＰサーバ）又はサブマスタ局（ＤＨＣＰサーバ）は、データベース１７に、通知元のマイクロ波無線通信装置１０のＩＰアドレスに対応付けて、受信した隣接情報（例えば、隣接装置のＩＰアドレス）、アラームトータルサマリ情報、及び装置タイプ情報を登録する。なお、通知元のマイクロ波無線通信装置１０が特定可能な情報であれば、ＩＰアドレスに限らず、マスタ局又はサブマスタ局は、例えば、ＭＡＣアドレスや装置ＩＤに対応付けて、隣接情報、アラームトータルサマリ情報、及び装置タイプ情報をデータベース１７に記憶してもよい。
【００４７】
本実施の形態では、各装置（サブマスタ局やスレーブ局）は、装置の状態が変わる毎に、隣接情報やアラームトータルサマリ情報、装置タイプ情報を、随時、上位局であるマスタ局（ＤＨＣＰサーバ）やサブマスタ局（ＤＨＣＰサーバ）に送信する。そのため、マスタ局やサブマスタ局は、隣接情報判断部１８やアラームサマリ判断部１９を用いて、配下の装置からの通知情報を受信したタイミングで、データベース１７が記憶する隣接情報、アラームトータルサマリ情報、及び装置タイプ情報を更新する。
【００４８】
隣接情報判断部１８は、具体的には、各種処理回路によって構成され、配下のスレーブ局から受信した通知情報に隣接情報が含まれるか否かを判断する機能を備える。また、隣接情報判断部１８は、通知情報に含まれる隣接情報に基づいてデータベース１７を更新する機能を備える。
【００４９】
アラームサマリ判断部１９は、具体的には、各種処理回路によって構成され、配下のスレーブ局から受信した通知情報にアラームトータルサマリ情報が含まれるか否かを判断する機能を備える。また、隣接情報判断部１８は、通知情報に含まれるアラームトータルサマリ情報に基づいてデータベース１７を更新する機能を備える。
【００５０】
自ＩＰアドレス保存部２０は、具体的には、メモリ等の記憶部によって実現される。自ＩＰアドレス保存部２０は、自装置を特定可能なＩＰアドレスを記憶する。本実施の形態では、自ＩＰアドレス保存部２０は、マスタ局やサブマスタ局によって割り当てられて通知されたＩＰアドレスを保存する。
【００５１】
制御部１１は、プログラムに従って動作し、マイクロ波無線通信装置１０全体の制御に関して、マイクロ波無線通信装置１０が搭載する各回路部や処理部を制御する機能を備える。無線回路部（送・受信）１２は、アンテナ２１を介してマイクロ波無線信号を送受信する機能を備える。有線回路部（送・受信）１３、１４は、有線回線を介して各種信号を送受信する機能を備える。
【００５２】
なお、本実施の形態では、マイクロ波無線通信装置１０は、２つの隣接する他のマイクロ波無線通信装置１０と接続される場合には、一方のマイクロ波無線通信装置１０と無線回路部１２を用いてマイクロ波無線信号により通信を行う。また、マイクロ波無線通信装置１０は、他の一方のマイクロ波無線通信装置１０と有線回路部１３を用いて有線回線を介して通信を行う。
【００５３】
また、本実施の形態では、ハードウェアの組み替え等によりネットワークが多分岐構造になる場合が想定される。例えば、マイクロ波無線通信装置１０が３つの隣接する他のマイクロ波無線通信装置１０と接続された分岐点の装置である場合には、無線回路部１２、及び各有線回路部１３，１４を用いて、それぞれのマイクロ波無線通信装置１０と通信を行う。本実施の形態では、多分岐構成になっても、マスタ局(ＤＨＣＰサーバ）及びサブマスタ局が配下のスレーブ局に自動的にＩＰアドレスを割り当てても問題ない。
【００５４】
さらに、マイクロ波無線通信システム１の最上位のマイクロ波無線通信装置１０は、オペレータによって操作され、マイクロ波無線通信システム１内の全てのマイクロ波無線通信装置１０を統合監視制御する統合監視制御端末２２と接続される。監視制御端末インタフェース部１５は、統合監視制御端末２２と各種信号を送受信する機能を備える。
【００５５】
統合監視制御端末２２は、例えば、プログラムに従って動作するパーソナルコンピュータ等の情報処理端末によって実現される。統合監視制御端末２２は、マスタ局に設定されたマイクロ波無線通信装置１０からＩＰアドレステーブルを受信する機能を備える。また、統合監視制御端末２２は、受信したＩＰアドレステーブルに基づいて、ディスプレイ装置等の表示装置に系構成情報を表示する機能を備える。
【００５６】
次に、動作について説明する。図４は、マスタ局が配下のスレーブ局にＩＰアドレスを割り当てる処理の一例を示すシーケンス図である。図４に示すように、本実施の形態では、マスタ局（ＤＨＣＰサーバ）から配下のスレーブ局にＩＰアドレスを自動的に割り当て、各装置の隣接情報やアラームトータルサマリ情報、装置タイプ情報を各スレーブ局から上位装置（マスタ局）に通知する場合を説明する。
【００５７】
図４に示す例では、上位マスタ局をマイクロ波無線通信装置１０（マスタ局、ＤＨＣＰサーバ）とする。また、そのマスタ局の配下に、マイクロ波無線通信装置１０（スレーブ局Ａ）、マイクロ波無線通信装置１０（スレーブ局Ｂ）、及びマイクロ波無線通信装置１０（スレーブ局Ｃ／サブマスタ局Ａ、ＤＨＣＰサーバ）が、無線回線や有線回線を介して接続されている。
【００５８】
マイクロ波無線通信装置１０（スレーブ局Ｃ／サブマスタ局Ａ、ＤＨＣＰサーバ）は、２つのサブネットワークの境目に位置する装置であるため、上位側のサブネットワークからみるとスレーブ局として動作する。また、自装置からみると、配下のスレーブ局を管理するサブマスタ局として動作する。よって、マイクロ波無線通信装置１０（スレーブ局Ｃ／サブマスタ局Ａ）は、スレーブ局としての機能とサブマスタ局としての機能との２つの機能をもつものとして動作する。
【００５９】
まず、マイクロ波無線通信装置１０（マスタ局、ＤＨＣＰサーバ）は、電源をオンされると（ステップＳ１０１）、ユーザ（例えば、保守員）の操作に従って、ネットワーク全体で動作可能なネットワークアドレス及びサブネットマスクと、１つのサブネットワークのみで許容されるサブネットマスクとを入力する（ステップＳ１０２）。この場合、マスタ局は、入力したデータを内蔵するメモリ等の記憶部に保存する。また、マスタ局は、保存したネットワークアドレスの先頭アドレスを自装置用のＩＰアドレスとして、図３に示した自ＩＰアドレス保存部２０及びデータベース１７に保存する。
【００６０】
次いで、マイクロ波無線通信装置１０（スレーブ局Ａ）の電源がオンされると（ステップＳ１０３）、上位のマイクロ波無線通信装置１０（マスタ局、ＤＨＣＰサーバ）とスレーブ局Ａとは、ＬＡＮリンクの確立処理を実行する。
【００６１】
マスタ局とスレーブ局ＡとのＬＡＮリンクを確立すると、スレーブ局Ａは、マスタ局（ＤＨＣＰサーバ）にＤＨＣＰのＤＩＳＣＯＶＥＲパケットを送信する。次いで、ＤＩＳＣＯＶＥＲパケットを受信すると、マスタ局は、スレーブ局ＡにＤＨＣＰのＯＦＦＥＲパケットを送信する。次いで、スレーブ局Ａは、マスタ局（ＤＣＨＰサーバ）にＤＨＣＰのＲＥＱＵＥＳＴパケットを送信する。そして、マスタ局（ＤＨＣＰサーバ）は、スレーブ局ＡにＤＨＣＰのＡＣＫパケットを送信する。
【００６２】
上記のようなＤＨＣＰによる一連のパケットの送受信が行われることにより、マスタ局（ＤＨＣＰサーバ）は、自アドレス以外の空いているＩＰアドレスを検索し、配下のスレーブ局ＡにＩＰアドレスを割り当てて通知する。
【００６３】
ＩＰアドレスを受信すると、スレーブ局Ａは、図３で示した自ＩＰアドレス保存部２０に、受信したＩＰアドレスを保存する（ステップＳ１０４）。
【００６４】
次いで、スレーブ局Ａは、マスタ局（ＤＣＨＰサーバ）とスレーブ局Ａとの隣り合ったＬＡＮ等の接続を確認し、スパニング・ツリー・プロトコル及びＲＡＲＰを用いて、隣接する他のマイクロ波無線通信装置１０を検出する。また、スレーブ局Ａは、常時隣接装置間で問い合わせを行い、隣接するマイクロ波無線通信装置１０のＭＡＣアドレスとＩＰアドレスとを検出する。そして、スレーブ局Ａは、検出した隣接ＩＰアドレス（本例では、マスタ局のＩＰアドレス）をマスタ局に隣接情報として送信する。また、スレーブ局Ａは、自装置内で発生しているアラームのサマリ情報を計算して、その計算結果（アラームトータルサマリ情報）を、マスタ局（ＤＣＨＰサーバ）に通知（送信）する。また、スレーブ局Ａは、自装置がスレーブ局であることを示す装置タイプ情報を、マスタ局に送信する。
【００６５】
次いで、マスタ局（ＤＣＨＰサーバ）は、受信した隣接情報、アラームトータルサマリ情報、及び装置タイプ情報に基づいて、データベース１７を更新する（ステップＳ１０５）。
【００６６】
次に、マイクロ波無線通信装置１０（スレーブ局Ｂ）の電源がオンされると（ステップＳ１０６）、上位のマイクロ波無線通信装置１０（マスタ局、ＤＨＣＰサーバ）とスレーブ局Ｂとは、スレーブ局Ａを介してＬＡＮリンクの確立処理を実行する。
【００６７】
マスタ局とスレーブ局ＢとのＬＡＮリンクを確立すると、スレーブ局Ｂは、マスタ局（ＤＨＣＰサーバ）にＤＨＣＰのＤＩＳＣＯＶＥＲパケットを送信する。次いで、ＤＩＳＣＯＶＥＲパケットを受信すると、マスタ局は、スレーブ局ＢにＤＨＣＰのＯＦＦＥＲパケットを送信する。次いで、スレーブ局Ｂは、マスタ局（ＤＣＨＰサーバ）にＤＨＣＰのＲＥＱＵＥＳＴパケットを送信する。そして、マスタ局（ＤＨＣＰサーバ）は、スレーブ局ＢにＤＨＣＰのＡＣＫパケットを送信する。
【００６８】
上記のようなＤＨＣＰによる一連のパケットの送受信が行われることにより、マスタ局（ＤＨＣＰサーバ）は、自アドレス及びスレーブ局Ａに割り当てたアドレス以外の空いているＩＰアドレスを検索し、配下のスレーブ局ＢにＩＰアドレスを割り当てて通知する。
【００６９】
ＩＰアドレスを受信すると、スレーブ局Ｂは、図３で示した自ＩＰアドレス保存部２０に、受信したＩＰアドレスを保存する（ステップＳ１０７）。
【００７０】
次いで、スレーブ局Ａは、自装置とマスタ局（ＤＣＨＰサーバ）との間、及び自装置とスレーブ局Ｂとの間の隣り合ったＬＡＮ等の接続を確認し、スパニング・ツリー・プロトコル及びＲＡＲＰをを用いて、隣接する他のマイクロ波無線通信装置１０を検出する。また、スレーブ局Ａは、常時隣接装置間で問い合わせを行い、隣接するマイクロ波無線通信装置１０のＭＡＣアドレスとＩＰアドレスとを検出する。そして、スレーブ局Ａは、新たに検出した隣接ＩＰアドレス（スレーブ局ＢのＩＰアドレス）を、マスタ局（ＤＣＨＰサーバ）に隣接情報として通知（送信）する。
【００７１】
次いで、マスタ局（ＤＣＨＰサーバ）は、受信した隣接情報に基づいて、データベース１７を更新する（ステップＳ１０８）。
【００７２】
また、スレーブ局Ａと同様に、スレーブ局Ｂは、検出した隣接ＩＰアドレス（本例では、スレーブ局ＡのＩＰアドレス）をマスタ局に隣接情報として送信する。また、スレーブ局Ｂは、自装置内で発生しているアラームのサマリ情報を計算して、その計算結果（アラームトータルサマリ情報）を、マスタ局（ＤＣＨＰサーバ）に通知（送信）する。また、スレーブ局Ｂは、自装置がスレーブ局であることを示す装置タイプ情報を、マスタ局に送信する。
【００７３】
次いで、マスタ局（ＤＣＨＰサーバ）は、受信した隣接情報、アラームトータルサマリ情報、及び装置タイプ情報に基づいて、データベース１７を更新する（ステップＳ１０９）。
【００７４】
次に、マイクロ波無線通信装置１０（スレーブ局Ｃ／サブマスタ局Ａ）の電源がオンされると（ステップＳ１１０）、上位のマイクロ波無線通信装置１０（マスタ局、ＤＨＣＰサーバ）とスレーブ局Ｃ／サブマスタ局Ａとは、スレーブ局Ａ及びスレーブ局Ｂを介してＬＡＮリンクの確立処理を実行する。
【００７５】
以下、マスタ局とスレーブ局Ａ及びスレーブ局Ｂとの間にリンクを確立した場合と同様のＤＨＣＰによる一連のパケットの送受信が行われることによって、マスタ局（ＤＨＣＰ）と各スレーブ局との間でリンクが確立され、マスタ局とスレーブ局Ｃ／サブマスタ局Ａとの間でＬＡＮリンクが確立される。
【００７６】
マスタ局（ＤＨＣＰサーバ）は、スレーブ局Ｃ／サブマスタ局Ａから隣接情報、アラームトータルサマリ情報、及び装置タイプ情報を受信すると、データベース１７を更新するとともに、スレーブ局Ｃ／サブマスタ局Ａに対して、次のネットワークアドレスをインクリメントした情報を、ネットワークアドレス及びサブネットマスク情報として通知（送信）する。ネットワークアドレス及びサブネットマスク情報を受信すると、サブマスタ局Ａは、マスタ局（ＤＣＨＰサーバ）に応答パケットを返信した後、内蔵するメモリ等の記憶部に、受信したネットワークアドレス及びサブネットマスク情報を保存する（ステップＳ１１１）。
【００７７】
なお、サブマスタ局Ａは、マスタ局（ＤＨＣＰサーバ）と同様の処理に従って、自装置の配下のスレーブ局が接続される（電源がオンとなる）タイミングで、許容されたＩＰアドレスのうち空いているＩＰアドレスを、配下のスレーブ局（サブマスタ局Ａに対するスレーブ局）からの要求に応じて各スレーブ局に割り当てて通知する（ステップＳ１１２）。
【００７８】
また、マスタ局（ＤＨＣＰサーバ）及びサブマスタ局（ＤＨＣＰサーバ）は、自動割り当てしたＩＰアドレスをもつ配下のマイクロ波無線通信装置に対して、所定時間毎にヘルスチェックを行う。例えば、マスタ局は、所定時間毎に、サブマスタ局及びスレーブ局に対して信号を送信する。そして、マスタ局は、サブマスタ局及びスレーブ局から応答信号を受信したか否かを確認する。また、例えば、サブマスタ局は、所定時間毎に、スレーブ局に対して信号を送信する。そして、サブマスタ局は、スレーブ局から応答信号を受信したか否かを確認する。
【００７９】
マスタ局及びサブマスタ局は、例えば、ユーザが定義したタイマ値を超えて応答信号を受信できなかった場合には、図３に示すデータベース１７から、応答信号を受信できなかったサブマスタ局又はスレーブ局に対応するＩＰアドレスを含む行のレコードを全て削除する。そして、マスタ局及びサブマスタ局は、アサインした（割り当てた）ＩＰアドレスを空きアドレスに戻す。そのような処理を実行することによって、マスタ局及びサブマスタ局は、タイムアウトするまで応答信号を受信できなかった場合には、そのサブマスタ局又はスレーブ局が撤去されたものと判断し、そのサブマスタ局又はスレーブ局に対して割り当てたＩＰアドレスを自動的に削除する。
【００８０】
また、スレーブ局は、マスタ局（ＤＨＣＰサーバ）又はサブマスタ局（ＤＨＣＰサーバ）からのヘルスチェック待ちのためのタイムアウト値を予め設ける。そして、スレーブ局は、予め設定するタイムアウト値を超えてヘルスチェックの信号を受信できなかった場合には、図３で示した自ＩＰアドレス保存部２０の記憶内容（例えば、自装置に割り当てられたＩＰアドレス）を削除する。すなわち、スレーブ局は、マスタ局又はサブマスタ局の管理対象から外れたと判断し、自装置に割り当てられたＩＰアドレスを自動的に削除する。
【００８１】
次に、図３に示したデータベース１７が記憶する隣接情報、アラームトータルサマリ情報、及び装置タイプ情報の具体例を説明する。図５は、ｓｕｂｎｅｔ−１を管理するマスタ局がデータベース１７に記憶するＩＰアドレステーブルの例を示す説明図である。図５に示すように、マスタ局は、保存項目として、ｓｕｂｎｅｔ−１のマスタ局（ＤＣＨＰサーバ）が管理するＩＰアドレスに対応付けて、関連する隣接情報、アラームトータルサマリ情報及び装置タイプ情報を含むＩＰアドレステーブル５０−１を、データベース１７に記憶する。
【００８２】
また、ＩＰアドレステーブル５０−１は、隣接情報として、マイクロ波無線通信装置１０が搭載している通信インターフェース部としてのＲａｄｉｏ（無線回線）側と、Ｂａｃｋ−Ｂａｃｋ１（有線回線の１Ｐｏｒｔ目）側と、Ｂａｃｋ−Ｂａｃｋ２（有線回線の２Ｐｏｒｔ目）側とに、それぞれ接続される他のマイクロ波無線通信装置１０のＩＰアドレスを含む。
【００８３】
まず、マイクロ波無線通信装置１０（マスタ局）は、ＩＰアドレスとして、自ＩＰアドレス「１７２．１８．０．１」のみを含むＩＰアドレステーブルを保存している。そして、最初のスレーブ局とのリンクが確立されると、スレーブ局（ＩＰアドレス「１７２．１８．０．２」）からマスタ局（ＤＨＣＰサーバ）に、隣接情報のＩＰアドレス「１７２．１８．０．１」とともに、スレーブ局（ＩＰアドレス「１７２．１８．０．２」）のアラームトータルサマリ情報（本例では、Ｍａｊｏｒ（メジャーアラーム））と装置タイプ情報（本例では、Ｓｌａｖｅ（スレーブ局））とが通知（送信）される。そのため、マイクロ波無線通信装置１０は、データベース１７が記憶するＩＰアドレステーブル５０−１に、新たにＩＰアドレス「１７２．１８．０．２」に対応する行のレコードを追加して、受信した隣接情報、アラームトータルサマリ情報及び装置タイプ情報を格納して更新する。
【００８４】
なお、１行目の自ＩＰアドレス（ＩＰアドレス「１７２．１８．０．１」）のレコードについても、マイクロ波無線通信装置１０は、隣接情報を検出できるので、Ｒａｄｉｏ項目に、隣接情報（本例では、ＩＰアドレス「１７２．１８．０．２」）を格納する。また、マイクロ波無線通信装置１０は、１行目のレコードに、内部アラームサマリの計算結果をアラームトータルサマリ情報（本例では、Ｍｉｎｏｒ（マイナーアラーム））として格納し、装置タイプ情報（本例では、Ｍａｓｔｅｒ（マスタ局））を格納する。
【００８５】
次のスレーブ局（ＩＰアドレス「１７２．１８．０．３」）と接続されリンクが確立されると、スレーブ局（ＩＰアドレス「１７２．１８．０．２」）からマスタ局（ＤＨＣＰサーバ）に、追加の隣接情報のＩＰアドレス「１７２．１８．０．３」が通知（送信）される。そのため、マスタ局は、最初に隣接情報を受信して保存したときと同様に、受信した隣接情報をデータベース１７に保存する。図５に示す例では、ＩＰアドレス「１７２．１８．０．２」に対応するレコードの隣接情報のＢａｃｋ−Ｂａｃｋ１に、ＩＰアドレス「１７２．１８．０．３」が格納される。
【００８６】
また、スレーブ局（ＩＰアドレス「１７２．１８．０．３」）からマスタ局（ＤＨＣＰサーバ）に、隣接情報のＩＰアドレス「１７２．１８．０．２」とともに、スレーブ局（ＩＰアドレス「１７２．１８．０．３」）のアラームトータルサマリ情報（本例では、Ｍｉｎｏｒ（マイナーアラーム））と装置タイプ情報（本例では、Ｓｌａｖｅ（スレーブ局））とが通知される。そのため、マイクロ波無線通信装置１０は、データベース１７が記憶するＩＰアドレステーブル５０−１に、新たにＩＰアドレス「１７２．１８．０．３」に対応する行のレコードを追加して、受信した隣接情報、アラームトータルサマリ情報及び装置タイプ情報を格納して更新する。
【００８７】
さらに次のスレーブ局（ＩＰアドレス「１７２．１８．０．４」）と接続されリンクが確立されると、スレーブ局（ＩＰアドレス「１７２．１８．０．３」）からマスタ局（ＤＨＣＰサーバ）に、追加の隣接情報のＩＰアドレス「１７２．１８．０．４」が通知（送信）される。そのため、マスタ局は、最初にＩＰアドレス「１７２．１８．０．２」及び「１７２．１８．０．３」のスレーブ局から隣接情報を受信して保存したときと同様に、受信した隣接情報をデータベース１７に保存する。図５に示す例では、ＩＰアドレス「１７２．１８．０．３」に対応するレコードの隣接情報のＲａｄｉｏに、ＩＰアドレス「１７２．１８．０．４」が格納される。
【００８８】
以下、同様に、各スレーブ局が接続されリンクが確立されたタイミングで、マスタ局（ＤＣＨＰサーバ）に隣接情報、アラームトータルサマリ情報、及び装置タイプ情報が通知（送信）される。そのため、マイクロ波無線通信装置１０は、受信した隣接情報、アラームトータルサマリ情報、及び装置タイプ情報に基づいて、随時データベース１７を更新する。そして、ｓｕｂｎｅｔ−１を管理するマスタ局であるマイクロ波無線通信装置１０は、最終的に、図５に示すＩＰアドレステーブル５０−１をデータベース１７に記憶することになる。
【００８９】
次に、ｓｕｂｎｅｔ−２を管理するサブマスタ局がデータベース１７に記憶するＩＰアドレステーブルについて説明する。図６は、ｓｕｂｎｅｔ−２を管理するサブマスタ局がデータベース１７に記憶するＩＰアドレステーブルの例を示す説明図である。
【００９０】
まず、ｓｕｂｎｅｔ−２の先頭に位置するマイクロ波無線通信装置１０は、サブマスタ局であるため、ＩＰアドレスを２つもつ。すなわち、マイクロ波無線通信装置１０は、ｓｕｂｎｅｔ−１のスレーブ局としてのＩＰアドレス「１７２．１８．１０」と、ｓｕｂｎｅｔ−２のサブマスタ局としてのＩＰアドレス「１７２．１８．０．６５」とをもつ。
【００９１】
マイクロ波無線通信装置１０（サブマスタ局）は、自ＩＰアドレスとしてＩＰアドレス「１７２．１８．０．６５」が登録されたｓｕｂｎｅｔ−２のＩＰアドレステーブル５０−２を、データベース１７に記憶している。そして、最初のスレーブ局とのリンクが確立されると、スレーブ局（ＩＰアドレス「１７２．１８．０．６６」）からサブマスタ局（ＤＨＣＰサーバ、ＩＰアドレス「１７２．１８．０．６５」）に、隣接情報のＩＰアドレス「１７２．１８．０．６５」とともに、スレーブ局（ＩＰアドレス「１７２．１８．０．６６」）のアラームトータルサマリ情報（本例では、Ｍｉｎｏｒ（マイナーアラーム））と装置タイプ情報（本例では、Ｓｌａｖｅ（スレーブ局））とが通知（送信）される。そのため、マイクロ波無線通信装置１０は、データベース１７が記憶するＩＰアドレステーブル５０−２に、新たにＩＰアドレス「１７２．１８．０．６６」に対応する行のレコードを追加して、受信した隣接情報、アラームトータルサマリ情報及び装置タイプ情報を格納して更新する。
【００９２】
なお、１行目の自ＩＰアドレス（ＩＰアドレス「１７２．１８．０．６５」）のレコードについても、マイクロ波無線通信装置１０は、隣接情報を検出できるので、Ｒａｄｉｏ項目に、隣接情報（本例では、ＩＰアドレス「１７２．１８．０．６６」）を格納する。また、マイクロ波無線通信装置１０は、１行目のレコードに、内部アラームサマリの計算結果をアラームトータルサマリ情報（本例では、Ｎｏｒｍａｌ（正常状態））として格納し、装置タイプ情報（本例では、Ｓｕｂ−Ｍａｓｔｅｒ（サブマスタ局））を格納する。
【００９３】
次のスレーブ局（ＩＰアドレス「１７２．１８．０．６７」）と接続されリンクが確立されると、スレーブ局（ＩＰアドレス「１７２．１８．０．６６」）からサブマスタ局（ＤＨＣＰサーバ）に、追加の隣接情報のＩＰアドレス「１７２．１８．０．６７」が通知（送信）される。そのため、マスタ局は、最初に隣接情報を受信して保存したときと同様に、受信した隣接情報をデータベース１７に保存する。図６に示す例では、ＩＰアドレス「１７２．１８．０．６６」に対応するレコードの隣接情報のＲａｄｉｏに、ＩＰアドレス「１７２．１８．０．６７」が格納される。
【００９４】
また、スレーブ局（ＩＰアドレス「１７２．１８．０．６７」）からサブマスタ局（ＤＨＣＰサーバ）に、隣接情報のＩＰアドレス「１７２．１８．０．６６」とともに、スレーブ局ＩＰアドレス「１７２．１８．０．６７」）のアラームトータルサマリ情報（本例では、Ｍｉｎｏｒ（マイナーアラーム））と装置タイプ情報（本例では、Ｓｌａｖｅ（スレーブ局））が通知される。そのため、マイクロ波無線通信装置１０は、データベース１７が記憶するＩＰアドレステーブル５０−２に、新たにＩＰアドレス「１７２．１８．０．６７」に対応する行のレコードを追加して、受信した隣接情報、アラームトータルサマリ情報及び装置タイプ情報を格納して更新する。
【００９５】
以下、同様に、各スレーブ局が接続されリンクが確立されたタイミングで、サブマスタ局（ＤＣＨＰサーバ）に隣接情報、アラームトータルサマリ情報、及び装置タイプ情報が通知（送信）される。そのため、マイクロ波無線通信装置１０は、受信した隣接情報、アラームトータルサマリ情報、及び装置タイプ情報に基づいて、随時データベース１７を更新する。そして、ｓｕｂｎｅｔ−２を管理するサブマスタ局であるマイクロ波無線通信装置１０は、最終的に、図６に示すＩＰアドレステーブル５０−２をデータベース１７に記憶することになる。
【００９６】
また、図７は、ｓｕｂｎｅｔ−３を管理するサブマスタ局がデータベース１７に記憶するＩＰアドレステーブルの例を示す説明図である。なお、ｓｕｂｎｅｔ−３を管理するサブマスタ局は、ｓｕｂｎｅｔ−２を管理するサブマスタ局と同様の処理に従って、最終的に、図７に示すＩＰアドレステーブル５０−３をデータベース１７に記憶することになる。
【００９７】
次に、統合監視制御端末２２と各マイクロ波無線通信装置１０（マスタ局／サブマスタ局）との間で行われる処理の概要について説明する。図８は、統合監視制御端末２２とマイクロ波無線通信装置１０との間で実行される処理の例を示すシーケンス図である。
【００９８】
まず、統合監視制御端末２２とマスタ局とは、ＬＡＮリンクの確立処理を実行する。なお、本実施の形態における統合監視制御端末２２は、ローカル（Ｌｏｃａｌ）側の各マイクロ波無線通信装置１０と無線回線や有線回線（Ｂａｃｋ−Ｂａｃｋ回線）で接続されると、ＬＡＮ接続のリンクが確立するハードウェア構造であるものとする。
【００９９】
統合監視制御端末２２とマスタ局とのＬＡＮリンクを確立すると、統合監視制御端末２２は、マスタ局から、図５に示したｓｕｂｎｅｔ−１のＩＰアドレステーブル５０−１を取得する。具体的には、統合監視制御端末２２は、ＩＰアドレステーブル５０−１の送信要求をマスタ局に送信する。すると、マスタ局は、ｓｕｂｎｅｔ−１のＩＰアドレステーブル５０−１をデータベース１７から抽出し、統合監視制御端末に通知（送信）する。そして、統合監視制御端末２２は、受信したｓｕｂｎｅｔ−１のＩＰアドレステーブル５０−１に基づいて、隣接情報に示される隣接装置をたどりながら所定のマップ画面上に装置シンボルを描画して表示する（ステップＳ２０１）。
【０１００】
次いで、統合監視制御端末２２は、取得したｓｕｂｎｅｔ−１のＩＰアドレステーブル５０−１に示される装置タイプ情報の中に、サブマスタ局を示す情報が含まれているか否かを判断する（ステップＳ２０２）。
【０１０１】
サブマスタ局を示す情報が存在する場合には、統合監視制御端末２２は、装置タイプ情報で示されるサブマスタ局Ａからデータ（ＩＰアドレステーブル）を取得する。例えば、マスタ局から図５に示すｓｕｂｎｅｔ−１のＩＰアドレステーブル５０−１を取得した場合、ＩＰアドレス「１７２．１８．０．１０」に対応する装置タイプ情報がサブマスタ局を示している。そのため、統合監視制御端末２２は、ＩＰアドレス「１７２．１８．０．１０」のサブマスタ局Ａから、図６に示したｓｕｂｎｅｔ−２のＩＰアドレステーブル５０−２を取得する。
【０１０２】
具体的には、統合監視制御端末２２は、ＩＰアドレステーブル５０−２の送信要求をサブマスタ局Ａに送信する。すると、サブマスタ局Ａ（ＩＰアドレス「１７２．１８．０．１０」／「１７２．１８．０．６５」）は、ｓｕｂｎｅｔ−２のＩＰアドレステーブル５０−２をデータベース１７から抽出し、統合監視制御端末に通知（送信）する。そして、統合監視制御端末２２は、受信したｓｕｂｎｅｔ−２のＩＰアドレステーブル５０−２に基づいて、隣接情報に示される隣接装置をたどりながら所定のマップ画面上に装置シンボルをさらに追加して描画し表示する（ステップＳ２０３）。
【０１０３】
さらに、統合監視制御端末２２は、取得したｓｕｂｎｅｔ−１のＩＰアドレステーブル５０−１に示される装置タイプ情報の中に、サブマスタ局を示す情報がさらに含まれているか否かを再度判断する（ステップＳ２０４）。
【０１０４】
サブマスタ局を示す情報がさらに存在する場合には、統合監視制御端末２２は、装置タイプ情報で示される２つ目のサブマスタ局Ｂからデータ（ＩＰアドレステーブル）を取得する。例えば、マスタ局から図５に示すｓｕｂｎｅｔ−１のＩＰアドレステーブル５０−１を取得した場合、ＩＰアドレス「１７２．１８．０．１６」に対応する装置タイプ情報がサブマスタ局を示している。そのため、統合監視制御端末２２は、ＩＰアドレス「１７２．１８．０．１６」のサブマスタ局Ｂから、図７に示したｓｕｂｎｅｔ−３のＩＰアドレステーブル５０−３を取得する。
【０１０５】
具体的には、統合監視制御端末２２は、ＩＰアドレステーブル５０−３の送信要求をサブマスタ局Ｂに送信する。すると、サブマスタ局Ｂ（ＩＰアドレス「１７２．１８．０．１６」／「１７２．１８．０．１２９」）は、ｓｕｂｎｅｔ−３のＩＰアドレステーブル５０−３をデータベース１７から抽出し、統合監視制御端末に通知（送信）する。そして、統合監視制御端末２２は、受信したｓｕｂｎｅｔ−３のＩＰアドレステーブル５０−３に基づいて、隣接情報に示される隣接装置をたどりながら所定のマップ画面上に装置シンボルをさらに追加して描画し表示する（ステップＳ２０５）。
【０１０６】
以下、同様に、統合監視制御端末２２は、マスタ局から取得したＩＰアドレステーブル５０−１に基づいて、装置タイプチェックを繰り返し実行する。そして、サブマスタ局がある場合には、統合監視制御端末２２は、ステップＳ２０１〜Ｓ２０５と同様の処理に従って、サブネットワークのＩＰアドレステーブルを取得し、取得したＩＰアドレステーブルに基づいて情報を所定のマップ画面上に描画して表示する処理を実行する。
【０１０７】
さらに、統合監視制御端末２２は、取得した各サブマスタ局のＩＰアドレステーブル５０−２，５０−３に示される装置タイプ情報の中に、サブマスタ局（サブマスタ局に対するさらにサブマスタ局）を示す情報が含まれているか否かを判断する（ステップＳ２０６）。
【０１０８】
サブマスタ局を示す情報が存在する場合には、統合監視制御端末２２は、ステップＳ２０１〜Ｓ２０５と同様の処理に従って、サブネットワークのＩＰアドレステーブルを取得し、取得したＩＰアドレステーブルに基づいて情報を所定のマップ画面上に描画して表示する処理を実行する。
【０１０９】
以上の処理に従って、統合監視制御端末２２は、順次取得したＩＰアドレステーブルに示される隣接情報に基づいて、統合監視制御端末２２がディスプレイ装置等の表示装置に表示する所定のマップ画面上に、マイクロ波無線通信システム１の系構成情報を自動描画することができる。また、統合監視制御端末２２は、ＩＰアドレステーブルに基づいて、各装置シンボルに対応するアラームトータルサマリ情報や装置タイプ情報も所定のマップ画面上に表示することができる。
【０１１０】
なお、統合監視制御端末２２は、各マスタ局やサブマスタ局からＩＰアドレステーブルを取得する場合、例えば、所定の期間毎に送信要求を送信することによって、定期的に取得するようにしてもよい。また、例えば、統合監視制御端末２２は、ＩＰアドレステーブルを更新した旨の状態変化通知情報（Ｔｒａｐ）を、マスタ局又は各サブマスタ局に送信させるようにしてもよい。そして、統合監視制御端末２２は、状態変化通知情報を受信したタイミングをトリガとして、状態変化通知情報を受信したマスタ局又はサブマスタ局からＩＰアドレステーブルを取得して、所定のマップ画面上に再描画して表示するようにしてもよい。
【０１１１】
以上に説明したように、本実施の形態によれば、マイクロ波無線通信装置１０は、マスタ局やサブマスタ局、スレーブ局に設定するためのモード切替スイッチ３を備え、マスタ局やサブマスタ局に設定されている場合に、ＤＨＣＰ機能を用いて配下のスレーブ局に対してＬＡＮリンクが確立される毎にＩＰアドレスを割り当てる。また、マイクロ波無線通信装置１０は、マスタ局やサブマスタ局に設定されている場合に、配下のスレーブ局との通信状態がタイムアウトすると、そのスレーブ局に割り当てたＩＰアドレスを削除する。従って、マイクロ波無線通信装置を用いた通信システムにおいて、アドレスの割り当て及び削除を自動的に行えるとともに、保守員の作業効率の向上を図ることができる。
【０１１２】
また、本実施の形態によれば、マイクロ波無線通信システム１は、複数のマイクロ波無線通信装置１０が無線区間又は有線区間（例えば、ＬＡＮ）を介して接続されることにより、全体の系が構成されている。また、マイクロ波無線通信システム１において、マイクロ波無線通信装置１０は、ＤＨＣＰサーバ機能を搭載する。
【０１１３】
また、本実施の形態によれば、マイクロ波無線通信装置１０の前面２にモード切替えスイッチ３を設けることによって、マスタ局、サブマスタ局、又はスレーブ局のいずれかに、ユーザが手動でマイクロ波無線通信装置１０を設定できる。そのため、マイクロ波無線通信装置のモード切替えスイッチ３をマスタ局又はサブマスタ局に設定変更しさえすれば、他のマイクロ波無線通信装置１０をマスタ局又はサブマスタ局に順次繋げたときに、マスタ局又はサブマスタ局は、ＤＨＣＰサーバ機能を用いて、配下の他のマイクロ波無線通信装置１０に順次自動的にＩＰアドレスを割り当てる。
【０１１４】
本実施の形態によれば、自動的にＩＰアドレスを割り当てて運用可能状態とすることにより、保守員の作業効率の向上を図ることができる。また、マイクロ波無線装置１０設置時に、保守員が人手を介してＩＰアドレス割り当てを行ったり、系構成情報をマイクロ波無線通信装置１０にダウンロードしたりする必要をなくすことができる。そのため、誤った操作により異常データをマイクロ波無線通信装置１０にダウンロードすることによって、マイクロ波無線通信装置１０が立ち上げ不可能となってしまうことを防止することができる。
【０１１５】
また、統合監視制御端末２２よるマイクロ波無線通信装置１０間のネットワーク接続異常等の監視制御が、アドレスの重複登録により正常に行えなくなってしまう事態を防止することができる。また、システム異常の原因を調査するために、各マイクロ波無線通信装置１０にダウンロードした情報を詳細にチェックする等の作業を低減することができ、保守員の多大な作業負担を軽減することができる。
【０１１６】
また、本実施の形態によれば、マスタ局やサブマスタ局としてセットされたマイクロ波無線通信装置１０は、データベース１７にＩＰアドレステーブルを記憶する。そして、マスタ局やサブマスタ局は、各ＩＰアドレスに対応した隣接情報や、アラームトータルサマリ情報をＩＰアドレステーブルに格納して保存する。そのため、通信ネットワークを監視する統合監視制御端末２２は、マスタ局及びサブマスタ局からＩＰアドレステーブル情報を取得しさえすれば、所定のマップ画面上に系構成情報を自動描画することができる。
【産業上の利用可能性】
【０１１７】
本発明は、複数のマイクロ波無線通信装置を含むマイクロ波無線通信システムに適用可能である。
【図面の簡単な説明】
【０１１８】
【図１】本発明によるアドレス自動割当方法を用いたマイクロ波無線通信システムの構成の一例を示すブロック図である。
【図２】マイクロ波無線通信装置の前面の態様を示す説明図である。
【図３】マイクロ波無線通信装置の構成の一例を示すブロック図である。
【図４】マスタ局が配下のスレーブ局にＩＰアドレスを割り当てる処理の一例を示すシーケンス図である。
【図５】ｓｕｂｎｅｔ−１を管理するマスタ局がデータベースに記憶するＩＰアドレステーブルの例を示す説明図である。
【図６】ｓｕｂｎｅｔ−２を管理するサブマスタ局がデータベースに記憶するＩＰアドレステーブルの例を示す説明図である。
【図７】ｓｕｂｎｅｔ−３を管理するサブマスタ局がデータベースに記憶するＩＰアドレステーブルの例を示す説明図である。
【図８】統合監視制御端末とマイクロ波無線通信装置との間で実行される処理の例を示すシーケンス図である。
【符号の説明】
【０１１９】
１  マイクロ波無線通信システム
２  装置前面
３  モード切替スイッチ
４  入力データ表示部
５  入力操作部
１０  マイクロ波無線通信装置
１１  制御部
１２  無線回路部
１３  有線回路部
１４  分岐用有線回路部
１５  監視制御端末インタフェース部
１６  ＤＨＣＰサーバ処理部
１７  データベース
１８  隣接情報判断部
１９  アラームサマリ判断部
２０  自ＩＰアドレス保存部
２１  アンテナ
２２  統合監視制御端末
【図１】
2008270946.tif 000003
【図２】
2008270946.tif 000004
【図３】
2008270946.tif 000005
【図４】
2008270946.tif 000006
【図５】
2008270946.tif 000007
【図６】
2008270946.tif 000008
【図７】
2008270946.tif 000009
【図８】
2008270946.tif 000010